(57)【特許請求の範囲】
【請求項１】
雌具と、付勢に抗してこの雌具内に押し込み操作可能にこの雌具に組み合わされる雄具とを備えてなり、
前記雌具は角筒状をなし、この雌具の四箇所の側部のうち対向位置にある二箇所の側部にそれぞれ紐状体の第一の通し孔が設けられていると共に残りの二箇所の側部にそれぞれ紐状体の第二の通し孔が設けられており、
前記雄具には、この雄具の前記付勢に抗した所定の押し込み位置において、前記第一の通し孔に紐状体を通し抜け可能に連通する第一の通し部と、前記第二の通し孔に紐状体を通し抜け可能に連通する第二の通し部とが形成されていることを特徴とするコードロック。
【請求項２】
雄具は、押し込み操作に利用される一方端部と、雌具内に位置される他方端部とを、雄具の中心軸を巡る向きに隣り合う連結部との間に間隔を開けて配される四つの連結部によって連結させてなることを特徴とする請求項１に記載のコードロック。
【請求項３】
雄具の押し込み方向に直交する向きにおいて、雌具の第一の通し孔の孔径が、第二の通し孔の孔径より大きくなるようにしてあることを特徴とする請求項１又は請求項２に記載のコードロック。
【請求項４】
雌具は一方の筒端から雄具を差し込み可能とする筒状を呈すると共に、他方の筒端の外側に張り出し部を有しており、この張り出し部に帯状体の通し部が形成されていることを特徴とする請求項１〜請求項３のいずれか１項に記載のコードロック。
【請求項５】
雌具は一方の筒端から雄具を差し込み可能とする筒状を呈すると共に、他方の筒端の外側に張り出し部を有しており、この張り出し部を利用してコードロックの利用対象物に縫着可能となっていることを特徴とする請求項１〜請求項３のいずれか１項に記載のコードロック。
【発明の詳細な説明】
【技術分野】
【０００１】
この発明は、紐状体の任意の位置に留め付け可能であり、また、この留め付け状態をコードロックを構成する雄具を付勢に抗する向きに移動操作することで解くように構成されたコードロックの改良に関する。
【背景技術】
【０００２】
側部に紐状体の通し孔を備えた軸状をなす雄具と、この雄具を内蔵したバネの付勢に抗する向きへの押し込み可能に納めると共に所定のこの押し込み位置で雄具の前記通し孔に整合する通し孔を対向位置にそれぞれ備えた筒状をなす雌具とから構成されるコードロックがある。（特許文献１参照）かかる通し孔を比較的大きく構成させておけば、かかる通し孔に同時に二本の紐状体を通してこれに対する留め付けをなすことができる。（特許文献１の使用状態参考図参照）しかし、この特許文献１のコードロックは、留め付け対象となる紐状体が一本の場合には通し孔の範囲内で紐状体に偏りが生じるため、前記二本の紐状体を通した場合と同じような留め付け状態を作出し難くなる。
【先行技術文献】
【特許文献】
【０００３】
【特許文献１】意匠登録第１３５６８２５号公報
【発明の概要】
【発明が解決しようとする課題】
【０００４】
この発明が解決しようとする主たる問題点は、この種のコードロックの使い勝手を、その機能を損なうことなく、より向上させる点にある。
【課題を解決するための手段】
【０００５】
前記課題を達成するために、この発明にあっては、コードロックを、雌具と、付勢に抗してこの雌具内に押し込み操作可能にこの雌具に組み合わされる雄具とを備えてなり、
前記雌具は角筒状をなし、この雌具の四箇所の側部のうち対向位置にある二箇所の側部にそれぞれ紐状体の第一の通し孔が設けられていると共に残りの二箇所の側部にそれぞれ紐状体の第二の通し孔が設けられており、
前記雄具には、この雄具の前記付勢に抗した所定の押し込み位置において、前記第一の通し孔に紐状体を通し抜け可能に連通する第一の通し部と、前記第二の通し孔に紐状体を通し抜け可能に連通する第二の通し部とが形成されているものとした。
【０００６】
かかるコードロックは、紐状体を通すことができる箇所を位置を異ならせて二系統備えており、これら二系統のいずれを利用して紐状体に対する留め付けをなすかを必要に応じて（コードロックの利用対象物に対する装着状態や、通される紐状体の本数や太さなどに応じて）選択することができる。
【０００７】
前記雄具を、押し込み操作に利用される一方端部と、雌具内に位置される他方端部とを、雄具の中心軸を巡る向きに隣り合う連結部との間に間隔を開けて配される四つの連結部によって連結させてなるものとしておけば、かかる雄具に第一の通し部と第二の通し部とを容易且つ適切に形成させることができる。
【０００８】
前記雄具の押し込み方向に直交する向きにおいて、雌具の第一の通し孔の孔径が、第二の通し孔の孔径より大きくなるようにしておけば、典型的には、第二通し孔と第二通し部とに一本の紐状体を通すことができる場合に、第一通し孔と第一通し部とには同じ太さの紐状体を二本通すことができる。
【０００９】
前記雌具を一方の筒端から雄具を差し込み可能とする筒状を呈したものとすると共に、他方の筒端の外側に張り出し部を有しており、この張り出し部に帯状体の通し部を形成させておけば、この通し部に通される帯状体を利用して利用対象物に雌具を、つまり、コードロックを装着することができる。
【００１０】
前記雌具を一方の筒端から雄具を差し込み可能とする筒状を呈したものとすると共に、他方の筒端の外側に張り出し部を有しており、この張り出し部を利用してコードロックの利用対象物に縫着可能としておけば、この張り出し部を利用対象物に縫い付けてこの利用対象物に雌具を、つまり、コードロックを装着することができる。
【発明の効果】
【００１１】
この発明によれば、コードロックの機能を損なうことなく、コードロックに紐状体を通すことができる箇所を位置を異ならせて二系統備えさせることができ、この種のコードロックの使い勝手をより向上させることができる。
【図面の簡単な説明】
【００１２】
【図１】図１は実施の形態にかかるコードロックの正面図である。
【図２】図２は実施の形態にかかるコードロックの平面図である。
【図３】図３は実施の形態にかかるコードロックの背面図である。
【図４】図４は実施の形態にかかるコードロックの底面図である。
【図５】図５は実施の形態にかかるコードロックの左側面図である。
【図６】図６は実施の形態にかかるコードロックの右側面図である。
【図７】図７は図１におけるＡ−Ａ線位置での断面図である。
【図８】図８は図１におけるＢ−Ｂ線位置での断面図である。
【図９】図９は第二通し孔と第二通し部を利用してコードロックに一本の紐状体が通された状態を示した平面図である。
【図１０】図１０は図９の状態の断面図である。
【図１１】図１１は第一通し孔と第一通し部を利用してコードロックに二本の紐状体が通された状態を示した平面図である。
【図１２】図１２は図１１の状態の断面図である。
【図１３】図１３は雌具の正面図である。
【図１４】図１４は雌具の平面図である。
【図１５】図１５は雌具の右側面図である。
【図１６】図１６は雌具の底面図である。
【図１７】図１７は図１４におけるＣ−Ｃ線位置での断面図である。
【図１８】図１８は図１４におけるＤ−Ｄ線位置での断面図である。
【図１９】図１９は雄具の正面図である。
【図２０】図２０は雄具の平面図である。
【図２１】図２１は雄具の右側面図である。
【図２２】図２２は雄具の底面図である。
【図２３】図２３は図２０におけるＥ−Ｅ線位置での断面図である。
【図２４】図２４は図２０におけるＦ−Ｆ線位置での断面図である。
【図２５】図２５は図１〜図２４にかかるコードロックの構成の一部を変更させた例を示した断面図である。
【発明を実施するための形態】
【００１３】
以下、図１〜図２５に基づいて、この発明の典型的な実施の形態について、説明する。この実施の形態にかかるコードロックは、紐状体Ｗの任意の位置に留め付け可能であり、また、この留め付け状態をコードロックを構成する雄具Ｍを付勢に抗する向きに移動操作することで解くように構成されたものである。かかる紐状体Ｗは、このようにコードロックの留め付けが可能なものであれば、その形状（丸紐、平紐など）、材質や構造（編み紐、ゴム紐、合成樹脂製の紐など）は問われない。かかるコードロックは、典型的には、こうした紐状体Ｗにより絞られたり、引き締められたりする箇所を備えた各種のコードロックの利用対象物におけるこの箇所を巡る紐状体Ｗに留め付けられて、その留め付け位置を変えることでこのような箇所を絞ったり、緩めたりするように用いられる。
【００１４】
この実施の形態にかかるコードロックは、雌具Ｆと、付勢に抗してこの雌具Ｆ内に押し込み操作可能にこの雌具Ｆに組み合わされる雄具Ｍと、かかる付勢力を雄具Ｍに作用させる付勢手段Ｓとを組み合わせてなる。
【００１５】
雌具Ｆの側部３には紐状体Ｗの第一の通し孔１及び第二の通し孔２が形成されている。一方、雄具Ｍには紐状体Ｗの第一の通し部９及び第二の通し部１０が形成されている。そして、前記付勢に抗して雄具Ｍを所定の押し込み位置まで押し込んだ状態において、第一の通し孔１に第一の通し部９が連通し、また、第二の通し孔２に第二の通し部１０が連通するようになっている。そして、この状態において、コードロックに、第一の通し孔１と第一の通し部９、または、第二の通し孔２と第二の通し部１０を利用して、紐状体Ｗを通すことできるようになっている。このようにコードロックに紐状体Ｗを通した状態から雄具Ｍの前記押し込み操作を止めると、前記付勢により雄具Ｍは操作前の位置向けて移動され第一の通し孔１と第一の通し部９及び第二の通し孔２と第二の通し部１０とは整合しなくなることから、雄具Ｍと雌具Ｆとの間で紐状体Ｗは挟み付けられる。これにより、紐状体Ｗの任意の位置にコードロックが留め付けられる。（図１０、図１２）
【００１６】
前記雌具Ｆの側部には、対向位置にそれぞれ紐状体Ｗの第一の通し孔１が貫通状態に設けられていると共に、一対の第一の通し孔１、１の間にそれぞれ紐状体Ｗの第二の通し孔２が貫通状態に設けられている。すなわち、雌具Ｆの側部３には、二箇所の第一の通し孔１、１と、二箇所の第二の通し孔２、２が形成されている。
【００１７】
この実施の形態にあっては、雌具Ｆは一方の筒端４から雄具Ｍを差し込み可能とする筒状を呈している。図示の例では、雌具Ｆは、一方の筒端４を開放させると共に、他方の筒端５を閉塞させた角筒状を呈している。雌具Ｆはその筒軸に直交する向きの断面において、外郭形状を略長方形状としている。そして、二箇所の幅広の側部３ｂ、３ｂにそれぞれ前記第一の通し孔１が形成され、二箇所の幅狭の側部３ａ、３ａにそれぞれ前記第二の通し孔２が形成されている。
【００１８】
また、雌具Ｆの他方の筒端５の外側には張り出し部６が形成されている。張り出し部６は前記二箇所の幅狭の側部３ａ、３ａのそれぞれにおいて、この幅狭の側部３ａと雌具Ｆの閉塞された他方の筒端５の外面とが接し合う縁部を縁取るようにこの縁部から雌具Ｆの筒軸に直交する向きに突き出されている。かかる張り出し部６の一面は雌具Ｆの閉塞された他方の筒端５の外面と同面をなしている。
【００１９】
図１〜図２４に示される例では、二箇所の張り出し部６にそれぞれ、帯状体の通し部が形成されている。この図１〜図２４に示される例では、張り出し部６に前記通し部となるスロット６ａが形成されている。この図１〜図２４に示される例では、この通し部に通される帯状体（図示は省略する。）を利用して利用対象物（図示は省略する。）に雌具Ｆを、つまり、コードロックを装着できるようになっている。
【００２０】
一方、図２５に示される例では、前記張り出し部６がコードロックの利用対象物Ｍに縫着できるように構成されている。この図２５に示される例では、張り出し部６をミシン針が貫通できる厚さに構成させており、この張り出し部６を利用対象物Ｍに縫い付けてこの利用対象物に雌具Ｆを、つまり、コードロックを装着できるようになっている。
【００２１】
この実施の形態にあっては、雄具Ｍの押し込み方向ｘに直交する向きにおいて、雌具Ｆの第一の通し孔１の孔径が、第二の通し孔２の孔径より大きくなるようにしてある。これにより、この実施の形態にあっては、典型的には、第二通し孔と第二通し部とに一本の紐状体Ｗを通すことができる場合に、（図９、図１０）第一通し孔と第一通し部とには同じ太さの紐状体Ｗを二本通すことができるようになっている。（図１１、図１２）
【００２２】
図示の例では、第一の通し孔１は、雌具Ｆの筒軸に直交する向きに長軸を沿わせた長孔状を呈している。一方、第二の通し孔２は、雌具Ｆの筒軸に長さ方向を沿わせるように前記幅狭の側部３ａに形成された割溝７によって構成されている。この割溝７の溝一端と雌具Ｆの一方の筒端４との間には間隔が形成され、一方、この割溝７の溝他端は雌具Ｆの閉塞された他方の筒端５において外部に開放されている。また、図１〜図２４に示される例では、第二の通し孔２は前記張り出し部６に形成されたスロット６ａに連通されている。
【００２３】
一方、前記雄具Ｍには、この雄具Ｍの前記付勢に抗した所定の押し込み位置において、前記第一の通し孔１に抵抗無く又は抵抗少なく紐状体Ｗを通し抜け可能に連通する第一の通し部９と、前記第二の通し孔２に抵抗無く又は抵抗少なく紐状体Ｗを通し抜け可能に連通する第二の通し部１０とが形成されている。
【００２４】
この実施の形態にあっては、雄具Ｍは、四隅と長辺と短辺とを備えた一方端部構成板１１と、同様に四隅と長辺と短辺とを備えた他方端部構成板１２とを、四つの連結部１３…１３によって両構成板１１、１２間に雄具Ｍの押し込み方向ｘにおいて間隔が形成されるように連結させてなる。図示の例では、連結部１３は柱状を呈しており、一方端部構成板１１の四箇所の隅部をそれぞれ他方端部構成板１２の対応する隅部に連結させている。これにより雄具Ｍは、前記両構成板１１、１２の長辺を雌具Ｆの幅広の側部３ｂ、３ｂに沿わせた状態で、雌具Ｆの開放された一方の筒端４より他方端部１５を先にして、雌具Ｆ内に挿入できるようになっている。
【００２５】
すなわち、雄具Ｍは、押し込み操作に利用される一方端部１４と、雌具Ｆ内に位置される他方端部１５とを、雄具Ｍの中心軸を巡る向きに隣り合う連結部１３との間に間隔を開けて配される四つの連結部１３…１３によって連結させてなる。そして、前記両構成板１１、１２の短辺側において隣り合う連結部１３、１３の間に形成される間隔が第二の通し部１０を構成し、前記両構成板１１、１２の長辺側において隣り合う連結部１３、１３の間に形成される間隔が前記第二の通し部１０よりも広い前記第一の通し部９を構成するようになっている。
【００２６】
この実施の形態にあっては、雄具Ｍの他方端部構成板１２における二箇所の短辺のそれぞれにおいて、この短辺の中央に爪部１６が形成されている。二箇所の爪部１６、１６の爪先間の距離は、雌具Ｆの二箇所の幅狭の側部３ａ、３ａの内面間の距離よりやや大きくなっており、雌具Ｆ内に前記のように雄具Ｍを挿入操作するとこの爪部１６に当接して雌具Ｆの一方の筒端４と第二の通し孔２との間に位置される箇所が主として弾性変形してこの挿入を許容すると共に、爪部１６が第二の通し孔２に入り込む位置までこの挿入がなされると前記箇所が弾性復帰してこの箇所に爪部１６が引っかかるようになっている。
【００２７】
前記付勢手段Ｓは、この実施の形態にあっては、雄具Ｍの他方端部１５と雌具Ｆの閉塞された他方の筒端５の内面との間に介装されて、この内面に他方端部１５が近づく向きの雄具Ｍの移動、つまり、前記押し込みに付勢力を作用させるようになっている。図示の例では、かかる付勢手段Ｓは、バネ一端を雄具Ｍの他方端部１５に当接させ、かつ、バネ他端を雌具Ｆの閉塞された他方の筒端５の内面に当接させたねじりコイルバネ１８によって、構成されている。かかるバネ１８はバネ一端側で外径を最も大きくし、そこからバネ他端に近づくに連れて外径を小さくするように構成されている。図中符号１７はかかるバネ１８のバネ一端内にはまり込む雄具Ｍ側の位置決め突部であり、符号８はかかるバネ１８のバネ他端内にはまり込む雌具Ｆ側の位置決め突部である。かかるバネ１８の付勢により、前記のように雌具Ｆに組み合わされた雄具Ｍは、紐状体Ｗを通していない状態においては、雌具Ｆの一方の筒端４と第二の通し孔２との間に位置される箇所に前記爪部１６を引っ掛けた状態となる。（図７）この状態から、雌具Ｆ内から突き出されている雄具Ｍの一方端部１４を押すことで雄具Ｍを前記所定の押し込み位置まで押し込めるようになっている。
【００２８】
この実施の形態にかかるコードロックは、紐状体Ｗを通すことができる箇所を位置を異ならせて二系統備えており、これら二系統のいずれを利用して紐状体Ｗに対する留め付けをなすかを必要に応じて（コードロックの利用対象物に対する装着状態や、通される紐状体Ｗの本数や太さなどに応じて）選択することができる。
【符号の説明】
【００２９】
Ｆ  雌具
Ｍ  雄具
Ｗ  紐状体
１  第一の通し孔
２  第二の通し孔
３  側部
９  第一の通し部
１０  第二の通し部
【図１】
0005819658.tif 000002
【図２】
0005819658.tif 000003
【図３】
0005819658.tif 000004
【図４】
0005819658.tif 000005
【図５】
0005819658.tif 000006
【図６】
0005819658.tif 000007
【図７】
0005819658.tif 000008
【図８】
0005819658.tif 000009
【図９】
0005819658.tif 000010
【図１０】
0005819658.tif 000011
【図１１】
0005819658.tif 000012
【図１２】
0005819658.tif 000013
【図１３】
0005819658.tif 000014
【図１４】
0005819658.tif 000015
【図１５】
0005819658.tif 000016
【図１６】
0005819658.tif 000017
【図１７】
0005819658.tif 000018
【図１８】
0005819658.tif 000019
【図１９】
0005819658.tif 000020
【図２０】
0005819658.tif 000021
【図２１】
0005819658.tif 000022
【図２２】
0005819658.tif 000023
【図２３】
0005819658.tif 000024
【図２４】
0005819658.tif 000025
【図２５】
0005819658.tif 000026